(57)【要約】【課題】  戸別給水用配管設備の各部分の漏れを適格に検査できる手法を提供する。【解決手段】  止水栓Ａ二次側圧力を僅か低下させ止水栓Ａと蛇口Ｅを閉止して第一圧力検出口１の圧力が上昇したとき止水栓Ａに、蛇口Ｅを閉止して第二圧力検出口２の圧力が上昇したとき減圧弁Ｂに、蛇口Ｅを閉止し逆止弁Ｃ二次側を一次側よりも高圧として第二圧力検出口２の圧力が上昇したとき逆止弁Ｃに、止水栓Ａと蛇口Ｅを閉止して第一圧力検出口１の圧力が低下したとき配管Ｆまたは蛇口Ｅにそれぞれ漏れがあると判定するものとした。【選択図】      図１
2005233650.tif 000002
【特許請求の範囲】
【請求項１】
量水器の一次側に止水栓および減圧弁が設置され二次側に逆止弁および端末器具が設置されている戸別給水配管設備において、
(1)前記止水栓を閉止してその二次側の圧力を少し低下させ、次に前記止水栓と端末器具とを閉止した状態に保持して前記止水栓の二次側であって前記減圧弁の一次側の圧力を調べ、圧力が上昇したとき前記止水栓に漏れがあると判定すること、
(2)前記端末器具を閉止した状態として減圧弁の二次側であって前記逆止弁の一次側の圧力を調べ、圧力が上昇したとき前記減圧弁に漏れがあると判定すること、
(3)前記端末器具を閉止した状態として逆止弁の二次側を一次側よりも高圧とし、前記減圧弁の二次側であって前記逆止弁の一次側の圧力を調べ、圧力が上昇したとき前記逆止弁に漏れがあると判定すること、
(4)前記端末器具を閉止した状態として減圧弁の二次側であって前記逆止弁の一次側の圧力を調べ、圧力が一定であるが設定圧力と異なるとき前記減圧弁に再調整が必要と判定すること、
以上(1)，(2)，(3)，(4)の少なくとも一つを行うことを特徴とする検査方法。
【請求項２】
量水器の一次側に止水栓および減圧弁が設置され二次側に逆止弁および端末器具が設置されている戸別給水配管設備において、
前記止水栓と端末器具とをともに閉止した状態とし、前記止水栓の二次側であって前記減圧弁の一次側の圧力を調べ、圧力が低下したとき配管および前記端末器具の少なくともいずれかに漏れがあると判定すること、
を特徴とする検査方法。
【請求項３】
前記止水栓の二次側であって前記減圧弁の一次側の圧力を調べることに加えて前記量水器の指針の動きを調べ、前記指針は動かないが前記圧力が低下したときは漏れが微量であり、前記指針が動いたときは漏れが大量である、と判定するものである請求項２に記載した検査方法。
【請求項４】
量水器の一次側に止水栓および減圧弁が設置され二次側に逆止弁および端末器具が設置されている戸別給水配管設備において、
請求項１に記載した検査と請求項２または３に記載した検査とを併せて行なう、
ことを特徴とする検査方法。
【請求項５】
前記逆止弁の漏れ検査にあたり、前記止水栓の二次側であって前記減圧弁の一次側の水を前記逆止弁の二次側に導入することにより、前記逆止弁の二次側を一次側よりも高圧の状態とする請求項１または４に記載した検査方法。
【請求項６】
量水器の一次側に止水栓および減圧弁が設置され二次側に逆止弁および端末器具が設置されている戸別給水配管設備において、
前記止水栓の二次側であって前記減圧弁の一次側に設けた第一圧力検出口、前記減圧弁の二次側であって前記逆止弁の一次側に設けた第二圧力検出口、前記逆止弁の二次側に設けた第三検出口と、
前記第一，第二，第三圧力検出口の少なくとも一つに着脱可能に取り付けられる圧力計測機器および前記逆止弁の二次側への高圧導入機器と、
を具え、前記第一，第二，第三圧力検出口は常時閉止しているが前記圧力計測機器および高圧導入機器を取り付けたとき開いてこれらと配管内部とを連通させるものとされている。
ことを特徴とする検査装置。
【請求項７】
前記第一，第二，第三圧力検出口は通常時に閉弁している逆止弁を具えて閉止しており、前記圧力計測機器または高圧導入機器を取り付けたとき前記逆止弁の弁体がこれらに押されて閉弁させられることにより開かれるものとされている請求項６に記載した検査装置。
【請求項８】
前記高圧導入機器が管の両端に前記第一，第三圧力検出口への着脱可能な接続具を設けた短絡配管である請求項６または７に記載した検査装置。
【請求項９】
前記高圧導入機器が前記短絡配管に手動の開閉弁を具えたものである請求項８に記載した検査装置。
【発明の詳細な説明】
【技術分野】
【０００１】
本発明は主に集合住宅の戸別給水配管設備における制御用機器の機能確認、配管や蛇口などの漏れ確認のための検査方法、およびこれらの検査を行なうための装置に関するものである。
【背景技術】
【０００２】
集合住宅における一住戸への戸別給水のための配管設備は例えば本発明の実施の形態を示す図１に見られるように、制御用機器である止水栓Ａ，減圧弁Ｂ，逆止弁Ｃおよび場合によってはこれらに加えて図示しない定流量弁、仕切弁と、計測用機器である量水器Ｄと、端末器具である蛇口Ｅとを配管Ｆに組込んだ構成とされている。
【０００３】
このような配管設備における止水栓Ａ，減圧弁Ｂ，逆止弁Ｃに漏れがあるか否か、減圧弁Ｂが設定圧力となっているか否か、或いは蛇口Ｅや配管Ｆに漏れがあるか否か、を調べる方法として圧力を測定しその変化によって正常か否かを判定することが行なわれている。水道水のような流体系の圧力測定手段として、圧力計に流体圧を直接作用させることなく間接的に作用させ、圧力計を交換するときに流体系を封止状態で交換できるようにしたものが特開平１１−３２６１００号公報に記載されている。しかし、このものは圧力計を常設しておくものであり、集合住宅の一住戸毎に個別の配管設備に適用した場合は膨大な数となり経済的負担が著しく大きいばかりか、圧力計自体が正常か否かを調べることがきわめて困難である。
【０００４】
これに対して、前記配管設備において例えば逆止弁Ｃの二次側に図５に示すような圧力計取付口５１を設け、ねじキャップ５２で常時閉止しておいて検査時にねじキャップ５２を外し圧力計をねじ込み装着するようにしたものが市場に提供されている。このものは、圧力計を検査時にのみ取り付ければよいので経済的負担を増すことがなく、また予め正常であることを確認した圧力計を使用することにより正確な検査を行なうことができる。
【０００５】
しかしながら、図５のものは検査にあたって圧力計取付口５１からねじキャップ５２を外して圧力計を装着する、圧力計を外してねじキャップ５２を再び装着する、という面倒な作業手順が必要である。加えて、これらの着脱の間に圧力計取付口５１が一時的に開放されるため、配管内の水が流出することを避けられず、圧力回復の待時間を要するばかりか、流出した水が大量であると建物内部での漏水や金属の発錆という問題を生じる。
【０００６】
一方、戸別給水の配管設備について必要な検査結果を得るには、図１に示した止水栓Ａ，減圧弁Ｂ，逆止弁Ｃが閉弁時に漏れを生じているか否か、減圧弁Ｂが所定の設定圧力を維持しているか否か、を調べること、或いはまたはこれらに加えて閉止時の蛇口Ｅや配管Ｆに漏れを生じているか否かを調べることが必要であるが、これらの内で目的とする少なくとも一つの検査、或いはこれらの総合的な検査を可能とする手段はこれまで提案されていない。
【特許文献１】特開平１１−３２６１００号公報
【発明の開示】
【発明が解決しようとする課題】
【０００７】
本発明は前記の課題を解決するためになされたものであって、戸別給水の配管設備に対して部分的或いは総合的な検査を行なって必要な検査結果を得ることができる検査方法を提供すること、およびこの検査を適切に実施するための検査装置を提供することを目的とする。
【課題を解決するための手段】
【０００８】
本発明は量水器の一次側に止水栓および減圧弁が設置され二次側に逆止弁および端末器具が設置されている戸別給水配管設備に対して行なう検査を次のようにすることによって前記課題を解消するものとした。
【０００９】
即ち、第一に、(1)止水栓を閉止してその二次側の圧力を少し低下させ、次に止水栓と端末器具とを閉止した状態に保持して止水栓の二次側であって減圧弁の一次側の圧力を調べ、圧力が上昇したとき止水栓に漏れがあると判定すること；(2)端末器具を閉止した状態として減圧弁の二次側であって逆止弁の一次側の圧力を調べ、圧力が上昇したとき減圧弁に漏れがあると判定すること；(3)端末器具を閉止した状態として好ましくは減圧弁の一次側の水を逆止弁の二次側に導入することによって減圧弁の二次側を一次側よりも高圧の状態とし、減圧弁の二次側であって逆止弁の一次側の圧力を調べ、圧力が上昇したとき逆止弁に漏れがあると判定すること；(4)端末器具を閉止した状態として減圧弁の二次側であって逆止弁の一次側の圧力を調べ、圧力が一定であるが設定圧力が異なるとき減圧弁に再調整が必要と判定すること；以上(1)，(2)，(3)，(4)の少なくとも一つを行なうものとしたことをもって課題解消の第一手段とした。
【００１０】
このことにより、制御用機器である止水栓、減圧弁、逆止弁のそれぞれについて、個別に漏れがあるか否か、或いは減圧弁が正常であるか否かを確認することができ、且つ特定のものから全部の制御用機器に対する検査を行なって正確な検査結果を得ることができる。
【００１１】
第二に、止水栓と端末器具とをともに閉止した状態とし、止水栓の二次側であって減圧弁の一次側の圧力を調べ、圧力が低下したとき配管および端末器具の少なくともいずれかに漏れがあると判定すること；をもって課題解決の第二手段とした。
【００１２】
このことにより、配管の例えば管継手からの漏れであるか、或いは端末器具の例えば蛇口からの漏れであるか、またはこれらの両方であるかを知ることができる。尚、第二手段において、止水栓の二次側であって減圧弁の一次側の圧力を調べることに加えて量水器の指針の動きを調べ、指針は動かないが圧力が低下したときは漏れが微量であり、指針が動いたときは漏れが大量であると判定することができ、このようにすると漏れの度合いや量を知ることが可能となる。
【００１３】
第三に、前述の第一手段による検査と第二手段による検査とを併せて行なうものとしたことをもって課題解決の第三手段とした。
【００１４】
このことにより、制御用機器の機能確認と配管や端末器具の漏れ確認とを行なって配管設備に要求される部分的或いは総合的な検査結果を得ることができる。
【００１５】
次に、本発明は量水器の一次側に止水栓および減圧弁が設置され二次側に逆止弁が設置されている戸別給水配管設備について、前述の第一、第二、第三手段による検査を適確に行なわせるための手段を次のようにすることによって前記課題を解決するための第四手段とした。
【００１６】
即ち、第四手段は止水栓の二次側であって減圧弁の一次側に設けた第一圧力検出口、減圧弁の二次側であって逆止弁の一次側に設けた第二圧力検出口、逆止弁の二次側に設けた第三圧力検出口と；第一、第二、第三圧力検出口の少なくとも一つに取り付けられる圧力計測機器および逆止弁の二次側への高圧導入機器と；を具え、第一、第二、第三圧力検出口は常時閉止しているが圧力計測機器および高圧導入機器を取り付けたとき開いてこれらと配管内部とを連通させるものとしたものである。
【００１７】
このことにより、最少個数の圧力計測機器、一般には圧力計と高圧導入機器とを用いて集合住宅の一住戸毎に個別の配管設備を経済的負担の増加を伴わずに検査することができ、且つこれらを圧力検出口に水を流出させることなく着脱することが可能となる。加えて、検査前に圧力計測機器を点検して正常であることを確認するのも容易であり、正確な検査が期待できる。
【００１８】
尚、第四手段において第一、第二、第三圧力検出口に通常時は閉弁している逆止弁を具えさせてこれらを閉止状態とし、圧力計測機器または高圧導入機器を取り付けたときこれらが逆止弁の弁体を押して開弁することにより開いてこれらと配管内部とを連通させるようにすることが、着脱作業の際に水を流出させないうえで好適である。また、第四手段における高圧導入機器を管の両端に第一、第三圧力検出口への着脱可能な接続具を設けたものとすることが、同一の水道水を使用して衛生上の問題を生じさせない、という点で有利である。
【発明の効果】
【００１９】
本発明のよると、戸別給水の配管設備における制御用機器の機能確認、即ちこれらに漏れがあるか否かなどの検査、または／およびこの検査に加えて配管や端末器具に漏れがあるか否かの検査を部分的或いは総合的に行なって正確で信頼性ある検査結果を得ることができるものである。
【発明を実施するための最良の形態】
【００２０】
図面を参照して本発明の実施の形態を説明すると、図１に示す配管Ｆに止水栓Ａ，減圧弁Ｂ，量水器Ｄ，逆止弁Ｃ，蛇口Ｅを順に設置した配管設備において、止水栓Ａの二次側であって減圧弁Ｂの一次側に第一圧力検出口１が設けられ、減圧弁Ｂの二次側であって逆止弁Ｃの一次側に第二圧力検出口２が設けられ、逆止弁Ｃの二次側に第三圧力検出口３が設けられている。本実施の形態では第一圧力検出口１および第二圧力検出口２を減圧弁Ｂの弁本体に設け、第三圧力検出口３を逆止弁Ｃの弁本体に設けているが、これらは配管Ｆに設けてもよい。また、圧力計測機器である圧力計１１と、高圧導入機器である可撓の管２２の両端に接続具２３を設けるとともに管２２の適所に手動の開閉弁２４を設けてなる短絡配管２１とが準備されている。
【００２１】
第一、第二、第三圧力検出口１，２，３は互いに同一の寸法、構造であって通常は閉止しているが、圧力計１１や短絡配管２１を取り付けたとき開いてこれらと配管内部とを連通するものとされており、その詳細は後述する。
【００２２】
最初に止水栓Ａの機能確認、即ち漏れがあるか否かの検出方法について説明すると、図２（Ａ）を参照して第一圧力検出口１に圧力計１１を取り付けて止水栓Ａを閉止し、蛇口Ｅを開いて水を少し排出することにより止水栓Ａの二次側、即ち止水栓Ａから蛇口Ｅに至る区間の圧力を僅かに低下させてから蛇口Ｅを閉止する。そして、止水栓Ａと蛇口Ｅとをともに閉止した状態で圧力計１１を観察し、圧力の変化がなければ正常と判定する。圧力が上昇すれば、一次側の水が二次側に流れていることによるので漏れを生じていると判定する。
【００２３】
第二に減圧弁Ｂの機能確認、即ち漏れがあるか否か、または設定圧力となっているか否かの検査方法について説明すると、図２（Ｂ）を参照して第二圧力検出口２に圧力計１１を取り付け、その一方で蛇口Ｅを閉止して水が流れない状態とする。このとき、減圧弁Ｂは閉弁するが、圧力計１１を観察して圧力の上昇が認められれば漏れを生じていると判定する。また、圧力の上昇が認められず一定である場合、その圧力値が所定の設定圧力と異なっていれば再調整が必要であると判定する。
【００２４】
第三に逆止弁Ｃの機能確認、即ち漏れがあるか否かの検出方法について説明すると、図２（Ｃ）を参照して蛇口Ｅを閉止した状態とし、第一圧力検出口１と第三圧力検出口３とに短絡配管２１の両端を取り付け、また第二圧力検出口２に圧力計１１を取り付ける。このことにより、逆止弁Ｃの二次側には減圧弁Ｂで減圧される前の高圧の水が導入され、減圧弁Ｂで減圧された一次側よりも高圧となる。そして、圧力計１１を観察して圧力の上昇が認められれば二次側から一次側への逆流によるので、漏れを生じていると判定する。
【００２５】
尚、逆止弁Ｃの二次側を高圧とする手段として、例えばポンプ付き水タンクを別途準備し、これを第三圧力検出口３に接続しポンプで圧入することもできるが、飲料水に配管系外の水を混入させると衛生上の問題を生じる心配があるので、配管系内の水を使用するものとした本実施の形態が好ましい。
【００２６】
第四に配管Ｆや蛇口Ｅに漏れがあるか否かの検査方法について説明すると、図２（Ｄ）を参照して第一圧力検出口１に圧力計１１を取り付け、その一方で止水栓Ａと蛇口Ｅとを閉止した状態とする。そして、圧力計１１を観察して圧力の変化がなければ正常と判定し、圧力が低下すれば配管Ｆと蛇口Ｅのいずれかまたは両方に漏れを生じていると判定する。
【００２７】
この場合、圧力計１１に加えて量水器Ｄの指針を観察し、圧力計１１により圧力の低下が認められるが量水器Ｄの指針の動きを確認できないときは漏れが微量であると判定し、指針の動きを認めたときは漏れが大量であると判定するものとすれば、漏れの度合いや漏れ量を正確に知ることができる。
【００２８】
尚、止水栓Ａの漏れ検査および配管Ｆや蛇口Ｅの漏れ検査にあたって、第一圧力検出口１ではなく第二圧力検出口２に圧力計１１を取り付けて減圧弁Ｂ二次側の圧力変化を調べることも可能である。しかし、このようにすると止水栓Ａと蛇口Ｅとを閉止状態としてから減圧弁Ｂの一次側圧力と二次側圧力とが同一となるのを待ち、その後に圧力変化を調べることとなるので、漏れがあるか否かの判断に長い時間を要する。従って、本発明ではこれらの漏れ検査を減圧弁Ｂの一次側圧力を調べることによって行なうものとした。
【００２９】
次に、前述の検査を行なうために設けられた第一、第二、第三圧力検出口１，２，３を図３を参照して説明すると、基端にねじ筒５を有する筒状の本体４に弁体６ａ，弁軸６ｂ，閉弁ばね６ｃ，弁座６ｄ，弁通路６ｅからなる逆止弁６が内装され、本体４は基端に開放した第一室７と先端に開放しためねじ孔からなる第二室８とを有し、これらは弁通路６ｅによって連通する。そして、弁体６ａが第一室７に挿入され、弁通路６ｅを通って第二室８に突出させた弁軸６ｂに閉弁ばね６ｃが作用させてある。ねじ筒５は減圧弁Ｂまたは逆止弁Ｃの弁本体１５に設けた取付け用ねじ孔１６に螺装され、本体４を弁本体１５から突出させて固定している。
【００３０】
通常時は閉弁ばね６ｃのばね力で弁体６ａが弁座６ｄに着座することによって第一室７と第二室８とを遮断しているが、漏れ検査のため圧力計１１の圧力取入口に設けられている取付ねじ筒１２を第二室８にねじ込むと、弁軸６ｂが押されて弁座６ｄから弁体６ａが離れ、弁本体１５の内部の流路１７が第一室７、弁通路６ｅを経て第二室８と連通して流路１７の圧力を測定することができる。検査が終って取付ねじ筒１２を外すと逆止弁６が再び閉弁する。
【００３１】
本実施の形態においては、取付ねじ筒１２をかなりの深さまでねじ込んだとき逆止弁６が開かれるように弁軸６ｂの第二室８への突出長を設定しており、このため水を流出させることなく圧力計１１を着脱することができる。
【００３２】
図４は逆止弁Ｃの漏れ検査に使用する短絡配管２１の実施の形態を示す図であって、可撓の管２２の両端に設けた接続具２３を管２２の端末に装着突出させた硬質の端管２３ａと、端管２３ａに回転自由に嵌装した摘み筒２３ｂを基端に設けた取付ねじ筒２３ｃとからなるものとしている。
【００３３】
摘み筒２３ｂを回して取付ねじ筒２３ｃを第二室８にねじ込むと、先端の当り片２３ｄが弁軸６ｂを押して逆止弁６を開弁させ、減圧弁Ｂ一次側の水を逆止弁Ｃ二次側に導入することができる。本実施の形態においても、取付ねじ筒２３ｃをかなりの深さまでねじ込んだとき逆止弁６が開かれるようにすることにより、水を流出させることなく短絡配管２１を着脱することができる。また、検査を終ったとき一方の取付ねじ筒２３ｃを緩めて逆止弁６を閉弁させてからもう一方の接続具２３を外し、管２２内の水を容器に回収してから緩めた取付ねじ筒２３ｃを外すことにより、周囲に水を殆どこぼすことなく短絡配管を撤去することができる。尚、短絡配管２１を第一、第三圧力検出口１，３に取り付けるとき開閉弁２４を  閉じておき、取り付けてからこれをゆっくりと開くことにより、逆止弁Ｃ二次側の圧力を急激に上昇させて逆止弁Ｃや蛇口Ｅの閉止機能に損傷を与える、という心配を伴わずに取り付けることができる。
【図面の簡単な説明】
【００３４】
【図１】本発明の実施の形態を示す配置図。
【図２】本発明の検査方法を説明する配置図。
【図３】圧力検出口の縦断面図。
【図４】短絡配管の縦断面部分図。
【図５】従来例の縦断面図。
【符号の説明】
【００３５】
１，２，３  圧力検出口，６  逆止弁，１１  圧力計，２１  短絡配管，Ａ  止水栓，Ｂ  減圧弁，Ｃ  逆止弁，Ｄ  量水器，Ｅ  蛇口，Ｆ  配管
【図１】
2005233650.tif 000003
【図２】
2005233650.tif 000004
【図３】
2005233650.tif 000005
【図４】
2005233650.tif 000006
【図５】
2005233650.tif 000007